(57)【要約】【課題】所定の操作者に対してある特定の種類の映像の表示を選択的に制限する制御を外部で起こる条件に応じて自動的に行う。【解決手段】映像ソース部５から出力される各種の映像信号を受けて、映像信号を選択または制御して出力する映像信号選択部１、映像信号制御部４と、映像信号選択部１から出力される映像信号を受けて映像を出力し、複数の映像を複数方向に対して射出する１つの表示面を備える多画面映像表示装置３と、操作者が外部から操作を行った結果を含む第１の信号を生成し、第１の信号を多画面映像表示装置３または映像信号制御部４に対して出力する外部操作部７と、外部の状況を検出した結果を含む第２の信号を生成し、第２の信号を映像信号制御部４に対して出力する外部条件入力部６とを含み、映像信号制御部４は、第２の信号に応じて所定の種類の映像信号に対して表示の制限を設ける制御を行う。【選択図】    図２
2004233816.tif 000002
【特許請求の範囲】
【請求項１】
映像ソース部からそれぞれ出力される各種の映像信号を受けて、前記映像信号をそれぞれ選択または制御して出力する制御手段と、
前記制御手段からそれぞれ出力される前記映像信号を受けて映像を出力するものであり、複数の映像を複数方向に対してそれぞれ射出することが可能な１つの表示面を備える映像表示手段と、
操作者が外部から操作を行うことによって、前記操作を行った結果を含む第１の信号を生成し、前記第１の信号を前記映像表示手段または前記制御手段に対して出力する外部操作手段と、
外部の状況を検出した結果を受けて、前記外部の状況に応じた結果を含む第２の信号を生成し、前記第２の信号を前記制御手段に対して出力する外部条件入力手段と、
を含み、
前記制御手段は、前記第２の信号に応じて所定の種類の前記映像信号に対して表示の制限を設ける制御を行うことを特徴とする映像表示装置。
【請求項２】
前記制御手段は、映像信号選択手段と映像信号制御手段とを含み、
前記映像信号選択手段は、前記映像ソース部から出力される前記映像信号を受け、前記映像信号を１つまたは複数適宜選択して出力し、
前記映像信号制御手段は、前記外部操作手段から出力される前記第１の信号または前記外部条件入力手段から出力される前記第２の信号をそれぞれ受けて、前記映像信号選択手段の制御を行うことを特徴とする請求項１に記載の映像表示装置。
【請求項３】
前記制御手段は映像信号調整手段をさらに含み、
前記映像信号調整手段は、前記映像信号選択手段によって選択されて出力された前記各映像信号の各種調整を、前記各映像信号毎に個別に行うことが可能であり、
前記映像信号制御手段は、さらに前記映像信号調整手段を制御することが可能であることを特徴とする請求項２に記載の映像表示装置。
【請求項４】
前記制御手段は、
前記映像信号選択手段によって選択された前記複数の映像信号を合成して、前記映像表示手段により複数の映像が射出できるような１つの映像信号として出力する映像信号合成手段をさらに含むことを特徴とする請求項２または請求項３に記載の映像表示装置。
【請求項５】
前記外部操作手段は、タッチパネル形の入力デバイスを含むことを特徴とする請求項２に記載の映像表示装置。
【請求項６】
前記映像表示装置は操作者識別手段をさらに含み、
前記外部操作手段の操作を実際に行う前記操作者を実操作者とすると、
前記操作者識別手段は、前記映像表示手段に対する実操作者の位置する方向を識別して、前記外部操作手段または前記制御手段に対して実操作者識別情報を出力し、
前記制御手段は、前記操作者識別手段または前記外部操作手段から出力される前記実操作者識別情報を受けるとともに、
前記制御手段は、前記映像表示手段が所定の方向に射出する映像を生成する前記映像信号にのみ、前記操作を行った結果を反映させる制御を行う
ことを特徴とする請求項１、請求項２及び請求項５のいずれかに記載の映像表示装置。
【請求項７】
前記操作者識別手段は、
前記実操作者の腕または手または指の位置を非接触的に検出し、検出信号を出力する検出手段と、
前記検出手段の出力する前記検出信号を受けて前記実操作者を特定する手段と、
を含むことを特徴とする請求項６に記載の映像表示装置。
【請求項８】
前記映像信号選択手段は、複数の映像信号入力部を有する接続信号検知手段を含み、
前記映像信号選択手段は、前記各映像信号入力部に対してそれぞれ割り振られた入力部識別情報に応じて、前記各映像信号をそれぞれ識別し、前記各映像信号をそれぞれ出力する
ことを特徴とする請求項２に記載の映像表示装置。
【請求項９】
前記制御手段は、前記映像表示手段が射出する前記映像が複数である場合、前記外部操作手段から受ける前記第１の信号に応じて、
前記映像表示手段の射出する前記複数の映像が各々異なる情報である状態と、
前記映像表示手段の射出する前記複数の映像が同一の情報である状態とを、適宜切り替える機能を有することを特徴とする、請求項１に記載の映像表示装置。
【請求項１０】
前記制御手段が、
前記映像表示手段の射出する前記複数の映像を同一の情報である状態にする前記第１の信号を、前記外部操作手段から受けたとき、
前記制御手段は前記外部条件入力手段からの前記第２の信号に応じて、前記所定の各映像信号に対して前記表示の制限を設ける制御を行うことを特徴とする請求項９に記載の映像表示装置。
【請求項１１】
前記表示の制限を設ける制御とは、
前記映像信号制御手段が前記映像信号選択手段に対して、所定の注意書き表示を生成する映像信号を出力させる制御と、
前記映像信号制御手段が前記映像信号選択手段に対して、所定の前記映像の出力を禁止させる制御とのうちのいずれかであることを特徴とする、請求項１０に記載の映像表示装置。
【請求項１２】
前記映像表示装置は、車両に搭載することが可能であることを特徴とする請求項１乃至請求項１１のいずれかに記載の映像表示装置。
【請求項１３】
前記制御手段は、前記外部の状況が、
前記映像表示装置を搭載する車両が走行しているという条件と、
前記映像表示装置を搭載する車両に設けられた座席のうち、前記車両の運転席にのみ操作者が着席しているという条件と、
前記映像表示装置を搭載する車両に設けられた時刻検知手段が、所定の範囲の時刻を検知しているという条件と、
前記映像表示装置を搭載する車両に設けられた外光検知手段が、外部が所定の範囲の明るさであることを検知しているという条件と、
のいずれかの条件であることに応じて、所定の種類の前記映像信号に対して表示の制限を設けることを特徴とする請求項１２に記載の映像表示装置。
【請求項１４】
前記操作者識別手段は、
前記映像表示装置を搭載する車両における運転席のある場所に位置する前記操作者が行う操作と、
前記車両における前記運転席以外の場所に位置する前記操作者が行う操作とを、それぞれ識別することを特徴とする請求項１２に記載の映像表示装置。
【請求項１５】
各種の映像信号が、映像ソース部から、前記映像信号を選択または制御する制御手段に対してそれぞれ出力され、
操作者に外部から操作される外部操作手段によって、前記操作を行った結果を含む第１の信号が生成されて、前記第１の信号が前記制御手段に出力され、
外部の状況を検出した結果を受ける外部条件入力手段によって、前記外部の状況に応じた結果を含む第２の信号が生成されて、前記第２の信号が前記制御手段に出力され、
前記映像ソース部から出力される前記映像信号が、前記第１の信号または前記第２の信号を受けた前記制御手段によって選択または制御されて出力され、
前記制御手段からそれぞれ出力される前記映像信号が、１つの表示面を備える映像表示手段によって複数の映像として複数方向に対してそれぞれ射出されるとともに、
所定の種類の前記映像信号が、前記制御手段によって、前記第２の信号に応じて表示の制限を設けられる
ことを特徴とする映像表示方法。
【請求項１６】
前記制御手段には、映像信号制御手段と映像信号選択手段とが含まれ、
前記外部操作手段から出力される前記第１の信号または前記外部条件入力手段から出力される前記第２の信号をそれぞれ受けた前記映像信号制御手段によって、前記映像信号選択手段の制御が行われ、
前記映像ソース部から出力される前記映像信号の１つまたは複数が、前記映像信号選択手段によって適宜選択されて出力される
ことを特徴とする請求項１５に記載の映像表示方法。
【請求項１７】
前記制御手段には、映像信号調整手段がさらに含まれ、
前記映像信号調整手段は、前記映像信号制御手段によって制御され、
前記映像信号選択手段によって選択されて出力される前記各映像信号が、前記映像信号調整手段によって、前記各映像信号毎に個別に各種調整が行われる
ことを特徴とする請求項１６に記載の映像表示方法。
【請求項１８】
前記制御手段には、映像信号合成手段がさらに含まれ、
前記映像信号選択手段によって選択された前記複数の映像信号が、前記映像信号合成手段によって合成されて、前記映像表示手段により複数の映像が射出できるような１つの映像信号として出力される
ことを特徴とする請求項１６または請求項１７に記載の映像表示方法。
【請求項１９】
操作者識別手段がさらに用いられる映像表示方法であって、
前記外部操作手段の操作を実際に行う前記操作者を実操作者とすると、
前記操作者識別手段によって、前記映像表示手段に対する実操作者の位置する方向が識別されて、実操作者識別情報が前記外部操作手段または前記制御手段に対して出力され、
前記操作者識別手段または前記外部操作手段からの前記実操作者識別情報が、前記制御手段に出力され、
前記制御手段によって、前記映像表示手段が所定の方向に射出する映像を生成する前記映像信号にのみ、前記操作を行った結果を反映させる制御が行われる
ことを特徴とする請求項１５または請求項１６に記載の映像表示方法。
【請求項２０】
前記操作者識別手段によって、
前記実操作者の腕または手または指の位置が非接触的に検出されて検出信号が出力され、
前記検出信号を受けて前記実操作者が特定されることを特徴とする請求項１９に記載の映像表示方法。
【請求項２１】
前記映像信号選択手段には、複数の映像信号入力部を有する接続信号検知手段が含まれ、
前記各映像信号は、前記映像信号選択手段によって、前記各映像信号入力部に対してそれぞれ割り振られた入力部識別情報に応じてそれぞれ識別されてそれぞれ出力される
ことを特徴とする請求項１６に記載の映像表示方法。
【請求項２２】
前記映像表示手段が射出する前記映像が複数である場合、
前記制御手段によって、
前記映像表示手段の射出する前記複数の映像が各々異なる情報である状態と、
前記映像表示手段の射出する前記複数の映像が同一の情報である状態との前記各状態が、前記外部操作手段から受ける前記第１の信号に応じて適宜切り替えられることを特徴とする、請求項１５に記載の映像表示方法。
【請求項２３】
前記映像表示手段の射出する前記複数の映像を同一の情報である状態にする前記第１の信号を、前記制御手段が前記外部操作手段から受けたとき、
前記所定の各映像信号が、前記制御手段によって、前記外部条件入力手段からの前記第２の信号に応じて前記表示の制限を設けられる
ことを特徴とする請求項２２に記載の映像表示方法。
【請求項２４】
前記映像表示方法は、車両に搭載する映像表示装置に対して用いられることを特徴とする請求項１５乃至請求項２３のいずれかに記載の映像表示方法。
【請求項２５】
所定の種類の前記映像信号は、
前記外部の状況が、
前記映像表示装置を搭載する車両が走行しているという条件と、
前記映像表示装置を搭載する車両に設けられた座席のうち、前記車両の運転席にのみ操作者が着席しているという条件と、
前記映像表示装置を搭載する車両に設けられた時刻検知手段が、所定の範囲の時刻を検知しているという条件と、
前記映像表示装置を搭載する車両に設けられた外光検知手段が、外部が所定の範囲の明るさであることを検知しているという条件と、
のいずれかの条件であることに応じて、前記制御手段によって表示の制限が設けられることを特徴とする請求項２４に記載の映像表示方法。
【請求項２６】
前記操作者識別手段によって、
前記映像表示装置を搭載する車両における運転席のある場所に位置する前記操作者が行う操作と、
前記車両における前記運転席以外の場所に位置する前記操作者が行う操作とが、それぞれ識別されることを特徴とする請求項２４に記載の映像表示方法。
【発明の詳細な説明】
【０００１】
【発明の属する技術分野】
本発明は、１つの表示面において観察する方向により異なる映像を見ることができる映像表示装置及び映像表示方法に関する。
【０００２】
【従来の技術】
１つの表示面に入力する映像信号を選択的に制御する手法は従来から広く使用されている。例えば特開平１０−２９０３９６号公報には、映像信号とともに入力される外部同期信号を用いて合成映像信号を生成する映像表示装置において、前記外部同期信号が不安定のときには内部同期信号に切り換えることが開示されている。また、特開平１０−２０６７８７号公報には、表示装置としてＨＭＤを用いた場合の映像切替に関する技術が開示されている。さらに、特開平５−１６７４５号公報には、車両での走行を支援するための情報の表示処理などを行う車載用情報処理装置が開示されている。さらに、特開平７−２７４０９０号公報には、複数の映像ソースから選択した映像ソースを表示可能な映像信号処理装置において、切り換え後の映像ソースを最適な調整状態に調整することが開示されている。
【０００３】
【特許文献１】
特開平１０−２９０３９６号公報
【０００４】
【特許文献２】
特開平１０−２０６７８７号公報
【０００５】
【特許文献３】
特開平５−１６７４５号公報
【０００６】
【特許文献４】
特開平７−２７４０９０号公報
【０００７】
【発明が解決しようとする課題】
しかしながら、上記した技術はいずれも１つの表示面に対して同時に１つの映像のみを表示する映像表示装置についてのものであって、１つの表示面上で同時に複数方向に複数の映像、例えば２方向に２種類の映像を表示する多画面映像表示装置には当てはまらないものである。
【０００８】
また、映像調整においても多数の提案がなされているが、１つの表示面上で同時に複数方向に表示される映像を個々に独立して調整することについての提案はいままでになされていない。
【０００９】
本発明において対象としている多画面映像表示装置は複数方向、例えば２方向から見た映像Ａ、Ｂを独立に制御する必要があり、且つある条件下においては表示映像に制限を設ける必要性があることも考えられる。また、映像調整においても、１つの表示面で複数方向に異なる映像を表示する為、複数種の映像を個別に調整する機能は必要である。
【００１０】
例えば、上記多画面映像表示装置を車載用表示装置として使用した場合、運転者側には車載ナビゲーション情報を表示し、運転者以外の同乗者にはテレビの映像を表示するといった用途が考えられる。この場合、２つの映像を独立に制御しなければならず、また安全性の問題から、走行中は運転者側にはテレビやＤＶＤなどの映像は表示させない、といった条件付制御機能も必要となってくる。
【００１１】
また、テレビ映像とナビゲーション情報では最適なガンマ、コントラストは異なり、それぞれにおいて最適な映像を見るためには個別の映像調整機能が必要となる。
【００１２】
上述の問題は車載用表示装置に限ったことではなく、各々の映像を独立に制御する必要性がある同様の表示装置に共通する問題である。例えば、対戦型ゲームの表示画面や喫茶店、レストランなどの店内における情報表示画面などが考えられる。
【００１３】
本発明はこのような課題に着目してなされたものであり、その目的とするところは、必要な映像が操作者（観察者）のいる方向に選択的に提供され、さらに所定の操作者に対してある特定の種類の映像（ＴＶやビデオなど）の表示を選択的に制限する制御を外部で起こる条件に応じて自動的に行うことができる映像表示装置及び映像表示方法を提供することにある。
【００１４】
【課題を解決するための手段】
上記の目的を達成するために、第１の発明に係る映像表示装置は、映像ソース部からそれぞれ出力される各種の映像信号を受けて、前記映像信号をそれぞれ選択または制御して出力する制御手段と、前記制御手段からそれぞれ出力される前記映像信号を受けて映像を出力するものであり、複数の映像を複数方向に対してそれぞれ射出することが可能な１つの表示面を備える映像表示手段と、操作者が外部から操作を行うことによって、前記操作を行った結果を含む第１の信号を生成し、前記第１の信号を前記映像表示手段または前記制御手段に対して出力する外部操作手段と、外部の状況を検出した結果を受けて、前記外部の状況に応じた結果を含む第２の信号を生成し、前記第２の信号を前記制御手段に対して出力する外部条件入力手段とを含み、前記制御手段は、前記第２の信号に応じて所定の種類の前記映像信号に対して表示の制限を設ける制御を行う。
【００１５】
また、第２の発明は、第１の発明に係る映像表示装置において、前記制御手段は、映像信号選択手段と映像信号制御手段とを含み、前記映像信号選択手段は、前記映像ソース部から出力される前記映像信号を受け、前記映像信号を１つまたは複数適宜選択して出力し、前記映像信号制御手段は、前記外部操作手段から出力される前記第１の信号または前記外部条件入力手段から出力される前記第２の信号をそれぞれ受けて、前記映像信号選択手段の制御を行う。
【００１６】
また、第３の発明は、第１の発明に係る映像表示装置において、前記制御手段は映像信号調整手段をさらに含み、前記映像信号調整手段は、前記映像信号選択手段によって選択されて出力された前記各映像信号の各種調整を、前記各映像信号毎に個別に行うことが可能であり、前記映像信号制御手段は、さらに前記映像信号調整手段を制御することが可能である。
【００１７】
また、第４の発明は、第２または第３の発明に係る映像表示装置において、前記制御手段は、前記映像信号選択手段によって選択された前記複数の映像信号を合成して、前記映像表示手段により複数の映像が射出できるような１つの映像信号として出力する映像信号合成手段をさらに含む。
【００１８】
また、第５の発明は、第２の発明に係る映像表示装置において、前記外部操作手段は、タッチパネル形の入力デバイスを含む。
【００１９】
また、第６の発明は、第１，第２及び第５のいずれかの発明に係る映像表示装置において、前記映像表示装置は操作者識別手段をさらに含み、前記外部操作手段の操作を実際に行う前記操作者を実操作者とすると、前記操作者識別手段は、前記映像表示手段に対する実操作者の位置する方向を識別して、前記外部操作手段または前記制御手段に対して実操作者識別情報を出力し、前記制御手段は、前記操作者識別手段または前記外部操作手段から出力される前記実操作者識別情報を受けるとともに、前記制御手段は、前記映像表示手段が所定の方向に射出する映像を生成する前記映像信号にのみ、前記操作を行った結果を反映させる制御を行う。
【００２０】
また、第７の発明は、第６の発明に係る映像表示装置において、前記操作者識別手段は、前記実操作者の腕または手または指の位置を非接触的に検出し、検出信号を出力する検出手段と、前記検出手段の出力する前記検出信号を受けて前記実操作者を特定する手段とを含む。
【００２１】
また、第８の発明は、第２の発明に係る映像表示装置において、前記映像信号選択手段は、複数の映像信号入力部を有する接続信号検知手段を含み、前記映像信号選択手段は、前記各映像信号入力部に対してそれぞれ割り振られた入力部識別情報に応じて、前記各映像信号をそれぞれ識別し、前記各映像信号をそれぞれ出力する。
【００２２】
また、第９の発明は、第１の発明に係る映像表示装置において、前記制御手段は、前記映像表示手段が射出する前記映像が複数である場合、前記外部操作手段から受ける前記第１の信号に応じて、前記映像表示手段の射出する前記複数の映像が各々異なる情報である状態と、前記映像表示手段の射出する前記複数の映像が同一の情報である状態とを、適宜切り替える機能を有する。
【００２３】
また、第１０の発明は、第９の発明に係る映像表示装置において、前記制御手段が、前記映像表示手段の射出する前記複数の映像を同一の情報である状態にする前記第１の信号を、前記外部操作手段から受けたとき、前記制御手段は前記外部条件入力手段からの前記第２の信号に応じて、前記所定の各映像信号に対して前記表示の制限を設ける制御を行う。
【００２４】
また、第１１の発明は、第１０の発明に係る映像表示装置において、前記表示の制限を設ける制御とは、前記映像信号制御手段が前記映像信号選択手段に対して、所定の注意書き表示を生成する映像信号を出力させる制御と、前記映像信号制御手段が前記映像信号選択手段に対して、所定の前記映像の出力を禁止させる制御とのうちのいずれかである。
【００２５】
また、第１２の発明は、第１乃至第１１のいずれかの発明に係る映像表示装置において、前記映像表示装置は、車両に搭載することが可能である。
【００２６】
また、第１３の発明は、第１２の発明に係る映像表示装置において、前記制御手段は、前記外部の状況が、前記映像表示装置を搭載する車両が走行しているという条件と、前記映像表示装置を搭載する車両に設けられた座席のうち、前記車両の運転席にのみ操作者が着席しているという条件と、前記映像表示装置を搭載する車両に設けられた時刻検知手段が、所定の範囲の時刻を検知しているという条件と、前記映像表示装置を搭載する車両に設けられた外光検知手段が、外部が所定の範囲の明るさであることを検知しているという条件とのいずれかの条件であることに応じて、所定の種類の前記映像信号に対して表示の制限を設ける。
【００２７】
また、第１４の発明は、第１２の発明に係る映像表示装置において、前記操作者識別手段は、前記映像表示装置を搭載する車両における運転席のある場所に位置する前記操作者が行う操作と、前記車両における前記運転席以外の場所に位置する前記操作者が行う操作とを、それぞれ識別する。
【００２８】
また、第１５の発明に係る映像表示方法は、各種の映像信号が、映像ソース部から、前記映像信号を選択または制御する制御手段に対してそれぞれ出力され、操作者に外部から操作される外部操作手段によって、前記操作を行った結果を含む第１の信号が生成されて、前記第１の信号が前記制御手段に出力され、外部の状況を検出した結果を受ける外部条件入力手段によって、前記外部の状況に応じた結果を含む第２の信号が生成されて、前記第２の信号が前記制御手段に出力され、前記映像ソース部から出力される前記映像信号が、前記第１の信号または前記第２の信号を受けた前記制御手段によって選択または制御されて出力され、前記制御手段からそれぞれ出力される前記映像信号が、表示面を備える映像表示手段によって、１つの前記表示面から複数の映像として複数方向に対してそれぞれ射出されるとともに、所定の種類の前記映像信号が、前記制御手段によって、前記第２の信号に応じて表示の制限を設けられる。
【００２９】
また、第１６の発明は、第１５の発明に係る映像表示方法において、前記制御手段には、映像信号制御手段と映像信号選択手段とが含まれ、前記外部操作手段から出力される前記第１の信号または前記外部条件入力手段から出力される前記第２の信号をそれぞれ受けた前記映像信号制御手段によって、前記映像信号選択手段の制御が行われ、前記映像ソース部から出力される前記映像信号の１つまたは複数が、前記映像信号選択手段によって適宜選択されて出力される。
【００３０】
また、第１７の発明は、第１６の発明に係る映像表示方法において、前記制御手段には、映像信号調整手段がさらに含まれ、前記映像信号調整手段は、前記映像信号制御手段によって制御され、前記映像信号選択手段によって選択されて出力される前記各映像信号が、前記映像信号調整手段によって、前記各映像信号毎に個別に各種調整を行われる。
【００３１】
また、第１８の発明は、第１６または第１７の発明に係る映像表示方法において、前記制御手段には、映像信号合成手段がさらに含まれ、前記映像信号選択手段によって選択された前記複数の映像信号が、前記映像信号合成手段によって合成されて、前記映像表示手段により複数の映像が射出できるような１つの映像信号として出力される。
【００３２】
また、第１９の発明は、第１５または第１６の発明に係る映像表示装置において、操作者識別手段がさらに用いられる映像表示方法であって、前記外部操作手段の操作を実際に行う前記操作者を実操作者とすると、前記操作者識別手段によって、前記映像表示手段に対する実操作者の位置する方向を識別されて、実操作者識別情報が前記外部操作手段または前記制御手段に対して出力され、前記操作者識別手段または前記外部操作手段からの前記実操作者識別情報が、前記制御手段に出力され、前記制御手段によって、前記映像表示手段が所定の方向に射出する映像を生成する前記映像信号にのみ、前記操作を行った結果を反映させる制御が行われる。
【００３３】
また、第２０の発明は、第１５または第１６の発明に係る映像表示方法において、前記操作者識別手段によって、前記実操作者の腕または手または指の位置が非接触的に検出されて検出信号が出力され、前記検出信号を受けて前記実操作者が特定される。
【００３４】
また、第２１の発明は、第１６の発明に係る映像表示方法において、前記映像信号選択手段には、複数の映像信号入力部を有する接続信号検知手段が含まれ、前記各映像信号は、前記映像信号選択手段によって、前記各映像信号入力部に対してそれぞれ割り振られた入力部識別情報に応じてそれぞれ識別されてそれぞれ出力される。
【００３５】
また、第２２の発明は、第１５の発明に係る映像表示方法において、前記映像表示手段が射出する前記映像が複数である場合、前記制御手段によって、前記映像表示手段の射出する前記複数の映像が各々異なる情報である状態と、前記映像表示手段の射出する前記複数の映像が同一の情報である状態との前記各状態が、前記外部操作手段から受ける前記第１の信号に応じて適宜切り替えられる。
【００３６】
また、第２３の発明は、第１５乃至第２３のいずれかの発明に係る映像表示方法において、前記映像表示手段の射出する前記複数の映像を同一の情報である状態にする前記第１の信号を、前記制御手段が前記外部操作手段から受けたとき、前記所定の各映像信号が、前記制御手段によって、前記外部条件入力手段からの前記第２の信号に応じて前記表示の制限を設けられる。
【００３７】
また、第２４の発明は、第１５乃至第２３のいずれかの発明に係る映像表示方法において、前記映像表示方法は、車両に搭載する映像表示装置に対して用いられる。
【００３８】
また、第２５の発明は、第２４の発明に係る映像表示方法において、所定の種類の前記映像信号は、前記外部の状況が、前記映像表示装置を搭載する車両が走行しているという条件と、前記映像表示装置を搭載する車両に設けられた座席のうち、前記車両の運転席にのみ操作者が着席しているという条件と、前記映像表示装置を搭載する車両に設けられた時刻検知手段が、所定の範囲の時刻を検知しているという条件と、前記映像表示装置を搭載する車両に設けられた外光検知手段が、外部が所定の範囲の明るさであることを検知しているという条件とのいずれかの条件であることに応じて、前記制御手段によって表示の制限が設けられる。
【００３９】
また、第２６の発明は、第２４の発明に係る映像表示方法において、前記操作者識別手段によって、前記映像表示装置を搭載する車両における運転席のある場所に位置する前記操作者が行う操作と、前記車両における前記運転席以外の場所に位置する前記操作者が行う操作とがそれぞれ識別される。
【００４０】
【発明の実施の形態】
以下、添付の図面を参照して本発明の実施形態を詳細に説明する。
【００４１】
（第１実施形態）
以下に、本発明の第１実施形態について説明する。図１は、本発明の映像表示装置に用いられる多画面映像表示装置の概略を説明するための図である。ここで、多画面映像表示装置とは、１つの表示面において観察する方向によって異なる映像を見ることができる映像表示装置であり、例えば、人物Ａは、方向Ａより装置を観察した際に映像Ａを見ることができるが、人物Ｂは、方向Ａとは異なる方向Ｂから装置を見ているので、映像Ａとは違った映像Ｂを見ることができる。本発明では、このような多画面映像表示装置において、映像Ａ、Ｂを独立して制御する手法を提供することにより、多画面映像表示装置を最適に制御することを目的とする。
【００４２】
図２は、本発明の映像表示装置が適用される多画面映像表示システムの概要を説明するための図であり、１つの表示面で複数方向、例えばここでは２方向に異なる映像を表示することが可能な多画面映像表示装置３と、多画面映像表示装置３を操作するための外部操作部７と、多画面映像表示装置３への入力映像を切り替える映像信号選択部１と、入力映像を制御する機能を持つ映像信号制御部４と、入力映像の各種調整を個別に行う映像信号調整部２と、ある種の映像に対して表示制限を設けるための条件を映像信号制御部４に出力するための外部条件入力部６と、各種の映像ソース５−１，５−２，５−３を出力する映像ソース部５とから構成される。また、外部操作部７は、後述のように、映像信号制御部を操作する信号を出力することもできる。
【００４３】
ここでの多画面映像表示装置３は特殊光学系と、２つの映像信号が入力される表示素子の組み合わせにより、１画面で２方向に異なる映像を表示することが可能な表示装置である。例えば、表示素子の奇数ラインには映像Ａの情報を入力し、偶数ラインには映像Ｂの情報を入力し、表示素子の表面に、奇数ラインは人物Ａ方向に、偶数ラインは人物Ｂ方向に指向性を持つ光学系を取り付けることにより１画面で２方向に異なる映像（映像Ａ、Ｂ）を表示することができる。
【００４４】
図３は、前記映像信号選択部１の概略構成を示すブロック図であり、映像信号の入力ポートである接続信号検知手段８と、出力する映像を選択し、接続信号検知手段８との接続機能を有する接続信号選択手段９と、映像信号制御部４からの指示により映像信号と注意書きを選択的に接続可能な映像信号切替装置１０とからなる。
【００４５】
接続信号検知手段８は、映像ソース部５からの映像信号が入力される２つ以上の入力ポート８−１〜８−３を有し、各入力ポートにどのような映像信号が入力されるかについてはあらかじめ決められているものとする。ここでは入力ポート８−１には映像ソース５−１からの映像が入力され、入力ポート８−２には映像ソース５−２からの映像が入力され、入力ポート８−３には映像ソース５−３からの映像が入力されるものとする。これらの入力ポート８−１〜８−３にはそれぞれにポートアドレス１〜３が割り振られており、このポートアドレス１〜３によって、どんな映像信号が接続されているかを認識することができる。また、どんな映像信号が入力されているかについての情報が映像信号制御部４内のメモリ（後述）に出力される。
【００４６】
接続信号選択手段９は、１つ以上の入力ポート９−１，９−２を有し、映像信号制御部４内のＣＰＵ（後述）からの指示とメモリの内容に従い、入力ポート９−１，９−２を、接続信号検知手段８の指示のあった入力ポート８−１〜８−３に接続し、２つ以上の映像信号から選択された１種ないし２種の映像信号を映像信号切替装置１０を介して多画面映像表示装置３に出力する。
【００４７】
映像信号切替装置１０は、映像信号制御部４内のＣＰＵ（後述）からの指示に従い、接続信号選択手段９から出力された映像信号と、映像信号制御部４内の警告文表示手段（後述）から出力された信号のいずれかを選択する部分である。
【００４８】
図４は、前記映像信号制御部４の概略構成を示すブロック図であり、外部からの信号や設定情報等に基づいて適切な処理を実行するＣＰＵ１１と、接続信号検知手段８の各ポートアドレスと、各入力ポートの接続状況及び、接続信号選択手段９が現在選択している映像信号の種類についての情報が記憶されるメモリ１２と、各種の注意書き（警告文）画面を記憶しており、ＣＰＵ１１からの指示に従い所定の注意書き画面を出力する警告文表示手段１３とから主に構成される。
【００４９】
図５（Ａ）、（Ｂ）は、メモリ１２に記憶する具体的な内容の一例を示しており、映像信号が入力される接続信号検知手段８のポートアドレスと、映像信号の種類とを対応付けたテーブル（図５（Ａ））と、接続信号選択手段９のポートアドレスと、接続信号検知手段８のポートアドレスとを対応付けたテーブル（図５（Ｂ），（Ｃ））とを備えている。図５（Ｂ）のテーブルは複数種類の映像のうちどの映像が接続されているかの接続状況を示しており、その内容は例えば表示映像切替の要求があった場合に、フローチャートを参照して後述する各種の処理に応じて例えば図５（Ｃ）のように適宜変更される。
【００５０】
前記ＣＰＵ１１は、外部操作部７からの信号と、外部条件入力部６からの信号を解読し、あらかじめ設定された内容とメモリ１２の内容に従い、映像信号選択部１に対して出力する映像信号を指示する。また、注意書きを表示する場合には、警告文表示手段１３に対して注意書きの種類とその表示命令を指示する。
【００５１】
図６は、前記映像信号調整部２の概略構成の例を示すブロック図である。映像信号調整部２は一般的なビデオＡＳＩＣ等により実現される。図６において、コントラスト調整部１４−１，１４−２は、映像信号選択部１から出力された映像信号１（映像Ａに対応），映像信号２（映像Ｂに対応）に対して個別にコントラストの調整を行う。ガンマ補正部１６−１，１６−２は、コントラスト調整がなされた映像信号１，２に対して個別にガンマ補正を行う。ガンマ補正された映像信号１，２は多画面映像表示装置３に入力される。輝度調整部１５−１，１５−２は、多画面映像表示装置３が持つ２つの光源３−１，３−２の光量を個別に制御するためのものであり、このように各光源３−１，３−２の光量を個別に制御することにより、各観察する方向に適した輝度を独立して調整することができる。
【００５２】
なお、輝度調整部１５−１，１５−２により輝度の調整を行うのではなく、多画面映像表示装置３が持つ表示素子自体の輝度を個々に調整するようにしてもよい。
【００５３】
前記外部条件入力部６としては、車の走行を検知するセンサ、昼夜やトンネル進入を区別するための外光を検知するセンサ、温度センサなど各種センサや、一定時間だけ映像が見れるといった場合のタイマ、さらにはオペレータなどにより人的に設定される条件などが考えられる。本実施形態ではこれらの条件の内容に従って各種の映像信号を多画面映像表示装置３によって表示させることを許可するかあるいは禁止するかを決定する。
【００５４】
許可映像としては例えばナビゲーション画面、オーディオ操作インターフェース、車載カメラのモニタ画面、エアコンなど空調機器の操作画面、スピード、回転数、エンジン温度、傾斜モニタ、バックモニタ、水温、油温、電圧計、ターボタイマ、圧力計、電流計、車間距離センサ、油圧計、油量計、水深計、クルーズコントロールスイッチ、異常箇所警告表示、燃料計、走行距離計など、様々な車の状態を表示する画面などが考えられる。また、禁止映像としてはＤＶＤやビデオＣＤ、ＶＨＳなどの映像や、テレビ画面、地上波デジタル放送による映像、インターネット画面やダウンロードした画像及び映像、保存してある画像及び映像または８ミリビデオや可搬車載ビデオデッキなどのような外部から接続されて映像を提供する装置などが考えられる。
【００５５】
外部操作部７としては、通常のボタン式に加え、タッチパネル式、ダイヤル式、音声認識方式などが考えられる。
【００５６】
それぞれの手法によって画面を操作する場合、操作対象が映像Ａか映像Ｂかを判別する為に考えられる手法として、切替ＳＷによる判別、あらかじめ登録しておいた指紋による判別、生体を流れる微弱電流を検知することによる判別、音声の場合は声紋認証による判別などが考えられる。
【００５７】
映像ソース部５には様々な映像信号を入力することができ、一般的なＡＶ機器と同様にＳ信号やコンポジット信号、ＶＧＡ入力なども考えられる。
【００５８】
以下に、上記した多画面映像表示システムの作用を説明する。
【００５９】
図７は、特定の映像が指定されて多画面映像表示装置３により表示されるまでの処理の流れを説明するためのフローチャートである。映像ソース部５の各映像ソース５−１，５−２，５−３は各種の映像信号を映像信号選択部１に出力する（ステップＳ１）。このような状況において、操作者が外部操作部７を操作して特定の映像を指定したことに応答して、外部操作部７が操作者の操作結果を出力すると（ステップＳ２）、映像信号制御部４は、外部操作部７からの操作結果を表す信号を受けて操作者が指定した映像信号を選択すべき映像信号として決定する（ステップＳ３）。また、外部条件入力部６が外部環境の変化を検知した場合にはその結果を映像信号制御部４に入力する（ステップＳ４）。映像信号制御部４は、外部条件入力部６からの外部環境の変化を表す信号を受けて許可映像として選択するべき映像信号を決定する（ステップＳ５）。次に、映像信号選択部１は、ステップＳ３及びステップＳ５において決定された映像信号を、出力すべき映像信号として選択する（ステップＳ６）。次に、映像信号調整部２は、選択された出力すべき映像信号に対する調整を行う（ステップＳ７）。次に、調整の終了した映像信号は多画面映像表示装置３に出力されて表示される（ステップＳ８、Ｓ９）。
【００６０】
図８は、表示制限のある映像の制御手順を説明するためのフローチャートである。ここでは、人物Ａへの映像Ａ（図１参照）に表示制限がかかっており、かつ表示する映像の切替要求が出された場合の制御手順を説明する。操作者からの表示映像切替の要求があると（ステップＳ１０）、映像信号制御部４は、当該要求があった映像は映像Ａか否かを判断し（ステップＳ１１）、ＮＯの場合には、要求のあった映像を人物Ｂに対する映像Ｂのソースとしてメモリ１２に設定する（ステップＳ１２）。すなわち、要求があった映像Ｂが接続されている接続信号検知手段８のポートアドレスをメモリ１２に設定する。
【００６１】
一方、映像Ａについてはソースを変更しない（ステップＳ１３）。次に、多画面映像表示装置３によりそのまま映像を表示する（ステップＳ２０）。
【００６２】
一方、ステップＳ１１の判断がＹＥＳの場合には、映像信号制御部４は、要求のあった映像を映像Ａのソースとしてメモリ１２に設定する（ステップＳ１４）。すなわち、要求があった映像Ａが接続されている接続信号検知手段８のポートアドレスをメモリ１２に設定する。
【００６３】
一方、映像Ｂについてはソースを変更しない（ステップＳ１５）。次に、映像信号制御部４は、メモリ１２に設定された映像Ａに表示制限がかかっているか否かを判断する（ステップＳ１６）。ここでは映像Ａに表示制限がかかっているので判断がＹＥＳとなり、次に、映像Ａのソースが禁止画像か否かを判断する（ステップＳ１７）。ここでの判断がＹＥＳの場合には、警告文表示手段１３により所定の注意書きを多画面映像表示装置３に表示させる（ステップＳ１８）。一例としては、画面全体に“表示できません”という文言を表示することが考えられる。次に、映像信号制御部４は、映像信号Ａのソースを直前のものに戻し（ステップＳ１９）、ステップＳ２０に進んで映像の表示を行う。
【００６４】
なお、ステップＳ１６またはステップＳ１７の判断がＮＯであった場合にはステップＳ２０に進んでそのまま要求のあった映像の表示を行う。
【００６５】
図９は、映像Ｂと表示制限のある映像Ａとのシンク処理の手順を説明するためのフローチャートである。シンク処理とは、表示制限がかかっている人物Ａへの映像Ａの映像ソースを人物Ｂへの映像Ｂの映像ソースと同じものにする処理である。操作者からのボタン操作により映像Ｂとのシンク要求（ステップＳ２１）があった場合、映像信号制御部４は、映像Ｂが表示されているか否かを判断し（ステップＳ２２）、ＮＯの場合には警告文表示手段１３により所定の注意書き、例えば、“シンクすべき映像が表示されておりません”などのメッセージを多画面映像表示装置３に表示させる（ステップＳ２３）。この場合、映像Ａの映像ソースは変更されない（ステップＳ２４）。次に、多画面映像表示装置３において映像Ａを表示する（ステップＳ３０）。
【００６６】
一方、ステップＳ２２の判断がＹＥＳの場合、映像信号制御部４は、映像Ａの映像ソースを映像Ｂと同一のものに設定する（ステップＳ２５）。次に映像Ａに表示制限がかかっているか否かを判断する（ステップＳ２６）。ここでは映像Ａに表示制限がかかっているので判断がＹＥＳとなり、次に、映像Ｂが禁止画像か否かを判断する（ステップＳ２７）。ここでの判断がＹＥＳの場合には、警告文表示手段１３により所定の注意書き、例えば“表示できません”などのメッセージを多画面映像表示装置３に表示させる（ステップＳ２８）。次に、映像信号制御部４は、映像信号Ａのソースを直前のものに戻し（ステップＳ２９）、ステップＳ３０に進んで多画面映像表示装置３により映像の表示を行う。
【００６７】
なお、ステップＳ２６またはステップＳ２７の判断がＮＯであった場合にはステップＳ３０に進んで映像Ａの表示を行う。
【００６８】
なお、映像Ｂの映像ソースを映像Ａの映像ソースと同じにする場合の処理フローについては図１５を参照して後述する。
【００６９】
図１０は、外部条件が変化したときの映像表示の制御手順を説明するためのフローチャートである。ここでは、外部条件が変化したとき、表示制限がかかっている映像Ａの制御処理のフローである。このとき、表示制限がかかっていない映像Ｂに対する処理は行わない。外部条件の変化が外部条件入力部６から入力されると（ステップＳ３１）、映像信号制御部４は、映像Ａが表示中かどうかを判断し（ステップＳ３２）、ＹＥＳの場合には映像Ａの現在の映像ソースをチェックする（ステップＳ３３）。次に、映像信号制御部４は、映像Ａが禁止画像か否かを判断し（ステップＳ３４）、ＹＥＳの場合には警告文表示手段１３により所定の注意書き、例えば“表示できません”などのメッセージを多画面映像表示装置３に表示させる（ステップＳ３５）。次に映像信号制御部４は、予め設定した所定のデフォルト映像を映像Ａのソースに設定し（ステップＳ３６）、多画面映像表示装置３により当該映像を表示する（ステップＳ３８）。
【００７０】
一方、ステップＳ３４の判断がＮＯの場合、映像信号制御部４は、映像Ａのソースの変更は行わず（ステップＳ３７）、ステップＳ３８に進んで多画面映像表示装置３によりそのまま映像の表示を行う。
【００７１】
また、ステップＳ３２の判断がＮＯの場合、映像信号制御部４は、映像Ｂが表示中か否かを判断し（ステップＳ３９）、ＹＥＳの場合には映像Ｂのソースの変更は行わず（ステップＳ４０）、ステップＳ３８に進んで多画面映像表示装置３によりそのまま映像の表示を行う。一方、ＮＯの場合にはそのまま処理を終了する。
【００７２】
なお、表示の制限とは、他に、禁止映像そのものを表示させない方法や、禁止映像が認識できない程度に禁止映像の上に注意書きを重ねて表示させる方法等が考えられる。また、文章や文字からなる警告文を警告文表示手段により注意書きとして表示させるだけでなく、記号や絵、図形、またはそれらを含むものを注意書きとして警告表示手段により表示するようにしてもよい。
【００７３】
（第２実施形態）
本発明の第２実施形態は、本発明の映像表示装置を車載用多画面映像表示システムに適用したことを特徴とする。図１１は、車載用多画面映像表示システムの構成を示すブロック図である。
【００７４】
本多画面映像表示システムは、運転者に対して表示する映像Ａ、運転者以外の同乗者に対して表示する映像Ｂの２種の映像を１画面で表示する多画面映像表示装置１０３と、この多画面映像表示装置１０３を操作するためのユーザインターフェースとしての外部操作部１０７と、外部条件出力部としての役割を持つ走行検出部１０６と、映像ソースとしてのナビゲーションシステム１０５−１、オーディオ操作インターフェース１０５−２、ＤＶＤプレイヤー１０５−３と、映像信号制御部１０４と、映像信号選択部１０１とから構成される。映像信号選択部１０１は、接続信号検知手段１０８と、接続信号選択手段１０９と、映像信号切替装置１１０とから構成される。また、映像信号制御部１０４は、メモリ１１２と、警告文表示手段１１３と、ＣＰＵ１１１とから構成される。映像信号選択部１０１と映像信号制御部１０４の役割は第１実施形態と基本的に同様であるのでここでの説明は省略する。
【００７５】
外部操作部１０７は、省スペース化のため、映像Ａ、映像Ｂの操作とも同一の操作部で行い、操作対象を切り替えるための対象切替部を有する。形態としては通常のボタンに加え、タッチパネルやダイヤル式なども考えられるが、多画面映像表示装置１０３及び映像信号制御部１０４に対して指示できる機能をもつものであれば、どのような形態でも良い。
【００７６】
車載用多画面映像表示システムにおいて、助手席及び後部座席への映像Ｂには表示制限を設けないが、運転席への映像Ａには走行中において表示制限を設け、この内容をあらかじめ映像信号制御部１０４内のＣＰＵ１１１もしくはメモリ１１２に記憶させておく。例えば、ナビ映像、オーディオ操作インターフェースは許可映像、ＤＶＤ映像は禁止映像であると設定し、禁止映像の表示制限の条件は走行中であることとする。なお、第２実施形態においても、第１実施形態で用いた映像信号調整部と同等の機能をもつ映像信号調整部１０２を備えていてもよい。
【００７７】
本実施形態の車載用多画面映像表示システムにおいて、特定の映像が指定されて多画面映像表示装置１０３により表示されるまでの処理の流れは第１実施形態と基本的に同様であるのでここでの詳細な説明は省略する。
【００７８】
図１２は、車載用多画面映像表示システムにおいて、表示制限のある映像の制御手順を説明するためのフローチャートである。ここでは映像Ａに表示制限がかけられており、映像Ｂについては表示制限がかけられていないことを想定する。
【００７９】
操作者から表示映像の切替要求があったならば（ステップＳ４１）、映像信号制御部１０４は、まず要求があったのが映像Ａなのか、映像Ｂなのかを判断し（ステップＳ４２）、もし映像Ｂだったならば表示制限がかけられていないので、要求があった映像を映像Ｂのソースとしてメモリ１１２に設定する（ステップＳ４３）。すなわち、要求があった映像Ｂが接続されている接続信号検知手段１０８のポートアドレスをメモリ１１２に設定する。
【００８０】
一方、映像Ａについてはソースを変更しない（ステップＳ４４）。次に、映像信号制御部１０４は、メモリ１１２の内容を読み出し、同メモリ内容を接続信号選択手段１０９に送信する。接続信号選択手段１０９は同メモリ内容に従って映像信号を選択する（ステップＳ４５）。次に、多画面映像表示装置１０３により選択された映像信号を表示する（ステップＳ４６）。
【００８１】
一方、ステップＳ４２において要求があった映像が映像Ａであると判断された場合、映像信号制御部１０４は、まず要求のあった映像を映像Ａのソースとしてメモリ１１２に設定する（ステップＳ４７）。すなわち、要求があった映像Ａが接続されている接続信号検知手段１０８のポートアドレスをメモリ１１２に設定する。
【００８２】
一方、映像Ｂについてはソースを変更しない（ステップＳ４８）。次に、映像Ａには表示制限がかかっている為、要求のあった映像の種類（ナビゲーション映像、オーディオ操作インターフェース、ＤＶＤ映像）を判断する（ステップＳ４９、Ｓ５０、Ｓ５１）。ナビゲーション映像、オーディオ操作インターフェースである場合（ステップＳ４９あるいはステップＳ５０の判断がＹＥＳ）には、運転者に表示しても安全上それほど問題ないものとみなして、メモリ１１２の内容に従って映像信号を選択して多画面映像表示装置１０３により表示する（ステップＳ４５、Ｓ４６）。
【００８３】
しかし、要求のあった映像がＤＶＤ映像であった場合（ステップＳ５１の判断がＹＥＳ）、走行中運転者に映像表示することは大変危険であると考えられるので、映像信号制御部１０４は、まず車両が走行中であるかどうかを判断する（ステップＳ５２）。ここでは走行検出部１０６からの信号により走行中かどうか判別し、もし走行中でないならば要求通りの映像を選択して多画面映像表示装置１０３により表示する（ステップＳ４５、Ｓ４６）。一方、ステップＳ５２の判断が走行中であった場合には警告文表示手段１１３により多画面映像表示装置１０３に所定の注意書き、例えば“表示できません”などのメッセージを表示させ（ステップＳ５３）、メモリ１１２内の映像Ａのソース映像設定を直前の設定に戻し（ステップＳ５４）、その後、メモリ１１２の内容に従って映像を選択して多画面映像表示装置１０３により表示する（ステップＳ４５、Ｓ４６）。
【００８４】
また、要求があった映像がナビゲーション映像、オーディオ操作インターフェース、ＤＶＤ映像のいずれでもなかった場合（ステップＳ４９、Ｓ５０、Ｓ５１の判断がいずれもＮＯ）には、警告文表示手段１１３により多画面映像表示装置１０３に所定の注意書き、例えば、“この映像は接続されておりません”などのメッセージを表示させ（ステップＳ５５）、メモリ１１２内の映像Ａのソース映像設定を直前の設定に戻し（ステップＳ５６）、その後、メモリ１１２の内容に従って映像を選択して多画面映像表示装置１０３により表示する（ステップＳ４５、Ｓ４６）。
【００８５】
図１３は、車載用多画面映像表示システムにおいて、映像Ｂと表示制限のある映像Ａとのシンク処理の手順を説明するためのフローチャートである。映像Ａを映像Ｂと同じにするシンク要求が運転者（ここでは人物Ａ）からあった場合（ステップＳ５７）は、まず映像Ｂがその時表示されているかどうかを判断する（ステップＳ５８）。ここで映像Ｂが表示されていない場合はシンクする映像が無いため、警告文表示手段１１３により多画面映像表示装置１０３に所定の注意書き、例えば“シンクすべき映像が表示されておりません”などのメッセージを表示させ（ステップＳ５９）、映像Ａについてはソースを変更しない（ステップＳ６０）。次に、メモリ１１２の内容に従って接続信号選択手段１０９により映像を選択し、多画面映像表示装置１０３により当該映像を表示する（ステップＳ６１、Ｓ６２）。
【００８６】
一方、ステップＳ５８で映像Ｂが表示されていると判断された場合には、まずメモリ１１２から映像Ｂの内容（ポートアドレス）を読み出し、映像Ａのソースとして同じポートアドレスを設定する（ステップＳ６３）。
【００８７】
次に映像の種類（ナビゲーション映像、オーディオ操作インターフェース、ＤＶＤ映像）を判断する（ステップＳ６４、Ｓ６５、Ｓ６６）。映像がナビゲーション映像またはオーディオ操作インターフェースであった場合（ステップＳ６４またはＳ６５の判断がＹＥＳ）には、メモリ１１２の内容に従い、接続信号選択手段１０９により映像Ｂと同じ映像を映像Ａとして設定して（ステップＳ６１）、多画面映像表示装置１０３により表示する（ステップＳ６２）。
【００８８】
一方、映像ＢがＤＶＤ映像であった場合（ステップＳ６６の判断がＹＥＳ）には、車両が走行中であるか否かを判断し（ステップＳ６７）、走行中であった場合には表示制限を行う必要があるので警告文表示手段１１３により多画面映像表示装置１０３に所定の注意書き、例えば“表示できません”などのメッセージを表示させ（ステップＳ６８）、メモリ１１２の内容をシンク要求が出される直前のソースに設定する（ステップＳ６９）。次にメモリ内容に従って接続信号選択手段１０９によりシンク要求が出る直前の映像を選択して（ステップＳ６１）、多画面映像表示装置１０３により表示する（ステップＳ６２）。
【００８９】
また、ステップＳ６７において走行中でないと判断された場合には、メモリ１１２の内容に従って接続信号選択手段１０９により映像を選択して多画面映像表示装置１０３により表示する（ステップＳ６１、Ｓ６２）。
【００９０】
また、要求があった映像がナビゲーション映像、オーディオ操作インターフェース、ＤＶＤ映像のいずれでもなかった場合（ステップＳ６４、Ｓ６５、Ｓ６５の判断がいずれもＮＯ）には、警告文表示手段１１３により多画面映像表示装置１０３に所定の注意書き、例えば“この映像は接続されておりません”などのメッセージを表示させ（ステップＳ７０）、メモリ１１２の内容（映像Ａのソース映像設定）を直前の設定に戻し（ステップＳ７１）、その後、メモリ１１２の内容に従って接続信号選択手段１０９により映像を選択して多画面映像表示装置１０３により表示する（ステップＳ６１、Ｓ６２）。
【００９１】
図１４は、車両が走行を開始したときの映像表示の制御について説明するためのフローチャートである。走行を開始した時の映像表示の制御は、まず走行検出部１０６により走行を開始したことを検出すると（ステップＳ７２）、表示制限がかかっている映像Ａが表示中であるか否かを判断する（ステップＳ７３）。ここで映像Ａが表示されていない場合は映像Ｂが表示中であるかどうかについても判断し（ステップＳ７４）、映像Ｂも表示されていなければそのまま処理を終了する。
【００９２】
また、ステップＳ７４において映像Ｂが表示中である判断された場合でも映像Ｂは表示制限をうけていないため、映像Ｂのソースを変更しないでそのまま表示を続ける（ステップＳ７５、Ｓ７６）。
【００９３】
一方、ステップＳ７３で映像Ａが表示中であると判断された場合には、映像Ａの現在の内容（ポートアドレス）をメモリ１１２から読み出して、映像Ａの現在のソース映像が何なのかを判断する（ステップＳ７７）。表示中の映像がナビ映像またはオーディオ操作インターフェースであった場合（ステップＳ７８またはＳ８０の判断がＹＥＳ）、これらは許可映像であるため、映像Ａのソースを変更せず（ステップＳ７９）、かつ映像Ｂのソースを変更しないで（ステップＳ７５）、当該映像をそのまま多画面映像表示装置１０３により表示する（ステップＳ７６）。
【００９４】
一方、表示中の映像がＤＶＤ映像であった場合（ステップＳ８１の判断がＹＥＳ）、これは禁止映像であるため、警告文表示手段１１３により多画面映像表示装置１０３に所定の注意書き、例えば“表示できません”などのメッセージを表示させ（ステップＳ８２）、予めデフォルトで設定してある許可映像のポートアドレスを映像Ａのソースとしてメモリに設定し（ステップＳ８３）、映像Ｂのソースを変更しないで（ステップＳ７５）、デフォルト設定の映像を多画面映像表示装置１０３により表示する（ステップＳ７６）。
【００９５】
例えば、デフォルトでナビゲーション映像を設定しておけば、注意書きが表示された後、自動的にナビゲーション映像が表示されることになる。このデフォルト映像の設定をユーザが行える機能としておけば、ナビゲーション映像ではなく、例えばオーディオ操作インターフェースのほうが走行中は使用することが多いという人には有効である。ただし、デフォルト映像に設定できるのは許可映像のみであり、禁止映像を設定しようとした場合は注意書きが表示される。
【００９６】
また、映像Ａがナビゲーション映像、オーディオ操作インターフェース、ＤＶＤ映像のいずれでもなかった場合（ステップＳ７８、Ｓ８０、Ｓ８１の判断がいずれもＮＯ）には、禁止映像として設定されていない映像であるため、映像Ａのソースを変更せず（ステップＳ８４）、かつ映像Ｂのソースを変更しないで（ステップＳ７５）、多画面映像表示装置１０３により当該映像を表示する（ステップＳ７６）。
【００９７】
図１５は、映像Ｂを表示制限のある映像Ａと同じにするシンク処理手順について説明するための図である。操作者からの映像Ａとのシンク要求（ステップＳ８５）があった場合、映像信号制御部１０４は、映像Ａが表示されているか否かを判断し（ステップＳ８６）、ＮＯの場合には警告文表示手段１１３により所定の注意書き、例えば“シンクすべき映像が表示されておりません”などのメッセージを多画面映像表示装置１０３に表示させる（ステップＳ８７）。次に、映像Ｂの映像ソースは変更することなしに（ステップＳ８８）、多画面映像表示装置１０３により映像Ｂを表示する（ステップＳ８９）。
【００９８】
一方、ステップＳ８６の判断がＹＥＳの場合、映像信号制御部１０４は、映像Ｂの映像ソースを映像Ａと同一のものに設定して（ステップＳ９０）、映像Ｂを多画面映像表示装置１０３により表示する（ステップＳ８９）。
【００９９】
なお、表示の制限とは、他に、禁止映像そのものを表示させない方法や、禁止映像が認識できない程度に禁止映像の上に注意書きを重ねて表示させる方法等が考えられる。また、文章や文字からなる警告文を警告文表示手段により注意書きとして表示させるだけでなく、記号や絵、図形、またはそれらを含むものを注意書きとして警告表示手段により表示するようにしてもよい。
【０１００】
（第３実施形態）
本発明の第３実施形態は、映像合成部を持つ多画面映像表示システムに関する。
【０１０１】
図１６は、第３実施形態の多画面映像表示システムの構成を示すブロック図であり、１つ以上の映像ソース２０５−１，２０５−２，２０５−３を有する映像ソース部２０５と、複数の方向に別々の映像を表示することが可能な多画面映像表示装置２０３と、多画面映像表示装置２０３に表示される映像を調整、制御する為のユーザインタフェースである外部操作部２０７と、映像ソース部２０５からの映像信号を１つないし複数選択することが可能な映像信号選択部２０１と、映像信号選択部２０１から出力される複数の映像信号を合成し、１つの映像信号を作り出す機能を持つ映像信号合成部２１０と、外部変化を検知し、その結果を出力する機能を持つ外部条件入力部２０６と、外部操作部２０７及び外部条件入力部２０６からの信号を受け、映像信号選択部２０１に対して選択する映像を指定する命令を出す映像信号制御部２０４とから構成される。
【０１０２】
図１６に示す構成で映像信号合成部２１０以外の各部の動作については第１実施形態で説明したので、ここでは映像信号合成部２１０のみについて説明する。
【０１０３】
映像信号合成部２１０は、複数の映像を合成し、１つの映像信号として出力する機能を有し、映像信号選択部２０１から入力される複数の映像信号を多画面映像表示装置２０３で表示できる形式の映像信号に変換し、変換した複数の映像信号を合成して１つの映像信号を生成し多画面映像表示装置２０３に出力する。
【０１０４】
以下に、変換した複数の映像信号を合成して１つの映像信号を生成する方法について説明する。
【０１０５】
ここでは、映像信号選択部２０１から入力される複数の映像信号を２つとし、第１の映像信号、第２の映像信号とする。この２つの映像信号を多画面映像表示装置２０３に表示できる形式に変換した映像信号をそれぞれ変換映像信号Ａ、Ｂとする。
【０１０６】
第１の方法では、図１７に示すように、変換映像信号Ａ、Ｂについてラインバッファ２１１−１，２１１−２を用いて変換映像信号Ａは奇数ラインのみを、変換映像信号Ｂは偶数ラインのみを抽出する。奇数ラインを抽出した変換映像信号Ａと偶数ラインを抽出した変換映像信号Ｂを合成し、この合成した映像信号から、奇数ラインに変換映像信号Ａを有し、偶数ラインに変換映像信号Ｂを有する合成映像信号を生成する。
【０１０７】
第２の方法では、図１８（Ａ）に示すように、変換映像信号Ａについて、奇数ラインは最初の１構成要素、すなわち、１画素に入力する分の映像信号のうちの要素（Ｒ，Ｇ，Ｂ）を有効にし、その後、１構成要素飛ばしで有効にし、それ以外は０でマスクする。偶数ラインは最初の１構成要素（Ｒ，Ｇ，Ｂ）を無効にし、その後、１構成要素飛ばしで無効にする。
【０１０８】
また、変換映像Ｂについては、図１８（Ｂ）に示すように、図１８（Ａ）とは逆の方法により構成要素の有効、無効を設定する。
【０１０９】
このような方法により有効、無効が設定された２つの構成要素を合成すると、図１８（Ｃ）に示すような合成後の映像信号が得られる。
【０１１０】
なお、本実施形態は図１８（Ｄ）に示すようなベイヤー配列や、図１８（Ｅ）に示すような、Ｒ，Ｇ，Ｂの各色単位の配列に対しても適用することができる。
【０１１１】
（第４実施形態）
本発明の第４実施形態は、操作者識別部を持つ多画面映像表示システムに関する。
【０１１２】
従来、多画面映像表示装置に表示される複数の映像に対して、表示される方向ごとに外部操作部を設けると場所をとる。また、１つの操作部で複数の映像の調整や制御を行おうとするとその都度操作対象の切替を行うことが面倒である。また、多画面映像表示装置上に外部操作部として例えばタッチパネルを使用した場合、どちらの映像に対して操作されたのか分からない、という課題があった。
【０１１３】
そこで第４実施形態では、操作者識別部において操作者を特定することにより、１つの外部操作部で面倒な特定の操作をすることなしに的確に目標とする映像の調整や制御を行うことができるようにする。また、外部操作部としてタッチパネルを使用する場合にも、あらかじめ操作者を特定することにより、多画面映像表示装置上でも使用できるようにすることを目的とする。
【０１１４】
図１９は、第４実施形態の多画面映像表示システムの構成を示すブロック図であり、１つ以上の映像ソース３０５−１，３０５−２，３０５−３を有する映像ソース部３０５と、複数の方向に別々の映像を表示することが可能な多画面映像表示装置３０３と、多画面映像表示装置３０３に表示される映像を調整、制御する為のユーザインタフェースとしてタッチパネルを有する外部操作部３０７と、センサ等により外部操作部３０７を操作している人物を特定することができる操作者識別部３１１と、映像ソース部３０５からの映像信号を１つないし複数選択することが可能な映像信号選択部３０１と、外部変化を検知し、その結果を出力する機能を持つ外部条件入力部３０６と、外部操作部３０７及び外部条件入力部３０６からの信号を受け、画像信号選択部３０１に対して選択する映像を指定する命令を出す映像信号制御部３０４と、第３実施形態で説明した映像信号合成部と同等の機能を持つ映像信号合成部３１０とから構成される。ここで、映像信号合成部３１０は省略しても良い。
【０１１５】
操作者識別部３１１は、外部操作部３０７の近傍でかつその周囲の少なくとも２ヵ所に配置された手や腕を非接触的に検出する非接触センサと、そのセンサ出力結果から操作者を識別するルーチンを処理する操作者識別判定回路（以下簡単に「判定回路」と呼ぶ）とから構成される。
【０１１６】
上記非接触センサは次のいずれかの手段により実現される。
【０１１７】
１．可視光線や不可視光線を放つ投光器と、操作者の手または腕で反射した前記投光器の放った光線を受光する受光器とからなる非接触センサ。
【０１１８】
２．可聴音波や超音波を放つトランスデューサと、操作者の手または腕で反射した前記トランスデューサーの放った音波を受信する音波受信器とからなる非接触センサ。
【０１１９】
３．操作者の指または腕が放つ赤外線を検出する赤外線検出器からなる非接触センサ。
【０１２０】
４．静電気の容量変化を検出する非接触センサ。
【０１２１】
５．レンズとこのレンズを通して入射する光線の変化から外界のモノの動きを検出する非接触センサ。
【０１２２】
上記した構成において、外部操作部３０７が操作者の操作を検出すると、外部操作部３０７は判定回路のルーチンが行った判定の結果を調べ、操作対象映像と操作内容を映像信号制御部３０４に対して出力する。映像信号制御部３０４では、前記外部からの信号により対象とする映像に対してのみ操作内容を反映させる。ここでいう反映とは、映像信号の調整ならびに、映像信号選択部３０１を介して映像ソース部３０５へ制御信号や命令信号を送信することを言う。
【０１２３】
図２０（Ａ）、（Ｂ）は、本実施形態をカーナビ用ディスプレイに応用したときの作用を説明するための図である。図２０（Ａ）、（Ｂ）に示すように、多画面映像表示装置３０３のカーナビ用ディスプレイ４００の前面には外部操作部３０７としてのタッチパネル（タッチセンサ）４０１が配置され、その左右には例えば超音波を利用した非接触センサ４０４，４０５が配置されている。
【０１２４】
この場合、上記判定回路が実行する操作者（左側操作者４０２、右側操作者４０３）を識別するルーチンはいくつかの方法があるが、ここでは２つの方法を説明する。
【０１２５】
第１の方法では、左右の非接触センサ４０４，４０５のうちのどちらのセンサ信号が強いかを比較し、ノイズを遮断する適当なフィルタをかけて、現在操作が左右どちらかの操作者により行われているかを判断する。すなわち、タッチパネル４０１の左（または右）側に配置された非接触センサ４０４（または４０５）が操作者の指や手の動きを強く検出している場合には、タッチパネル４０１を操作した操作者は、多画面映像表示装置３０３に向かって左（または右）側に着席している操作者であるとの判断を行う。
【０１２６】
第２の方法では、信号強度の閾値をあらかじめ決めておき、最初にその閾値を越えた信号を発した非接触センサが左（または右）側の場合、タッチパネル４０１を操作した操作者は、多画面映像表示装置３０３に向かって左（または右）側に着席している操作者であるとの判断を行う。さらにこの判断は、左右どちらかの非接触センサが操作者の手や腕を検出し続けている限り、その判断をそのまま保持するようにする。この場合もノイズを遮断する適当なフィルタを非接触センサの出力に配置しておく。第２の方法では、左（右）側の操作者がタッチパネル４０１に手を伸ばしていくと、まずは左側の非接触センサ４０４が操作者の手または指を検出（閾値を超えた信号を検出）することを利用している。その後、操作者の指や手が右（左）側のセンサ付近に動いた場合、非接触センサ４０４（４０５）からのセンサ信号は左（右）より右（左）の方が強くなることも有り得るが、左右の信号強度差にかかわらず、最初に判断をした左（右）側の操作者が操作をしているという判断を保持することで、操作者の指がタッチセンサの何処を操作しても、誤った判断にはならない。
【０１２７】
上記した実施形態によれば、面倒な操作をすることなしに複数の映像（操作対象）を操作することが可能であり、しかも省スペースである。なお、多画面映像表示装置３０３上でもタッチパネルでの操作を行うことができる。
【０１２８】
なお、上記した全ての実施形態において、本発明の映像表示装置を車載用映像表示システムとして用いた場合、前記外部条件入力部は、時計などの現在時間検出手段からの検出結果を条件として設定したり、助手席の搭乗者有無検出手段からの検出結果より、表示装置の操作者は運転者だけであるということを条件として設定することができる。また、このような操作者識別手段を用いて、操作者が運転者かそうでないかの判断を行い、前述の表示の制限を所定の映像信号に対して行うことが望ましいのは勿論である。
【０１２９】
（付記）
上記した具体的な実施形態から以下のような種々の構成を抽出することができる。
【０１３０】
１．映像ソース部からそれぞれ出力される各種の映像信号を受けて、前記映像信号をそれぞれ選択または制御して出力する制御手段と、
前記制御手段からそれぞれ出力される前記映像信号を受けて映像を出力するものであり、複数の映像を複数方向に対してそれぞれ射出することが可能な１つの表示面を備える映像表示手段と、
操作者が外部から操作を行うことによって、前記操作を行った結果を含む第１の信号を生成し、前記第１の信号を前記映像表示手段または前記制御手段に対して出力する外部操作手段と、
外部の状況を検出した結果を受けて、前記外部の状況に応じた結果を含む第２の信号を生成し、前記第２の信号を前記制御手段に対して出力する外部条件入力手段と、
を含み、
前記制御手段は、前記第２の信号に応じて所定の種類の前記映像信号に対して表示の制限を設ける制御を行うことを特徴とする映像表示装置。
【０１３１】
この構成は、上記した実施形態の少なくとも図２、図１１、図１６、図１９に対応する。
【０１３２】
この構成は、１つの表示面から複数の観察する方向に応じた複数の映像が選択的に射出され、各映像がそれぞれ適宜選択でき、外部の状況に応じて送られてきた信号をもとに、制御手段が所定の映像の表示を行う際に制限を設ける制御ができる映像表示装置である。これにより、必要な映像が操作者のいる方向に選択的に提供され、さらに所定の操作者に対してある特定の種類の映像（ＴＶやビデオなど）の表示を選択的に制限する制御を外部で起こる条件に応じて自動的に行うことが可能になる。
【０１３３】
また、第１、２の信号は、主に「制御手段」により制御される内容を通知する信号である。
【０１３４】
２．前記制御手段は、映像信号選択手段と映像信号制御手段とを含み、
前記映像信号選択手段は、前記映像ソース部から出力される前記映像信号を受け、前記映像信号を１つまたは複数適宜選択して出力し、
前記映像信号制御手段は、前記外部操作手段から出力される前記第１の信号または前記外部条件入力手段から出力される前記第２の信号をそれぞれ受けて、前記映像信号選択手段の制御を行うことを特徴とする１．に記載の映像表示装置。
【０１３５】
この構成は、上記した実施形態の少なくとも図２〜４、図１１、図１６、図１９に対応する。
【０１３６】
この構成は、１．のような映像表示装置の「制御手段」の詳細な構成の例である。制御手段には、映像を選択する映像信号選択手段と映像を制御する映像信号制御手段が含まれる。
【０１３７】
映像を制御するということには、映像信号選択手段に対して映像信号を選択させる指示を行ったり、映像ソース部からの各映像信号の接続状況を把握したりすることなどが含まれる。
【０１３８】
３．前記制御手段は映像信号調整手段をさらに含み、
前記映像信号調整手段は、前記映像信号選択手段によって選択されて出力された前記各映像信号の各種調整を、前記各映像信号毎に個別に行うことが可能であり、
前記映像信号制御手段は、さらに前記映像信号調整手段を制御することが可能であることを特徴とする２．に記載の映像表示装置。
【０１３９】
この構成は、上記した実施形態の少なくとも図２、図６に対応する。
【０１４０】
この構成は、１．のような映像表示装置の「制御手段」の詳細な構成の例である。すなわち、映像信号調整手段によって、複数射出される各映像に対して、映像特性上の種類又は操作者の要望に応じた、明るさ、色合い（ＲＧＢ、ホワイトバランス）、ぼけ、ノイズ、γ値、コントラスト、色相、鮮やかさ、解像力、同期調整、トラッキング…等の各種調整を行うことが可能である。複数の映像の各種調整は、それぞれ必要に応じて各映像毎に個別に行うことができる。
【０１４１】
４．前記制御手段は、
前記映像信号選択手段によって選択された前記複数の映像信号を合成して、前記映像表示手段により複数の映像が射出できるような１つの映像信号として出力する映像信号合成手段をさらに含むことを特徴とする２．または３．に記載の映像表示装置。
【０１４２】
この構成は、上記した実施形態の少なくとも図１６、図１９に対応する。
【０１４３】
この構成は、１．のような映像表示装置の「制御手段」の詳細な構成の例である。映像表示手段が複数の映像を表示する際、複数の映像信号を映像表示手段に出力する方法ではなく、映像信号制御手段でそれぞれ制御された複数の映像信号を合成したものを映像表示手段に出力してもよい。
【０１４４】
５．前記外部操作手段は、タッチパネル形の入力デバイスを含むことを特徴とする２．に記載の映像表示装置。
【０１４５】
この構成は、上記した実施形態の少なくとも図２、図４、図６、図１１、図１６、図１９に対応する。
【０１４６】
この構成は、外部操作手段の具体例である。外部操作手段の入力デバイスとして感圧式や光学式等のタッチパネルを特に使用すれば、触れるだけで誤作動なく手軽に操作ができ、省スペース化が図られるとともに、外部操作手段の操作内容も種々設定する事ができる。
【０１４７】
６．前記映像表示装置は操作者識別手段をさらに含み、
前記外部操作手段の操作を実際に行う前記操作者を実操作者とすると、
前記操作者識別手段は、前記映像表示手段に対する実操作者の位置する方向を識別して、前記外部操作手段または前記制御手段に対して実操作者識別情報を出力し、
前記制御手段は、前記操作者識別手段または前記外部操作手段から出力される前記実操作者識別情報を受けるとともに、
前記制御手段は、前記映像表示手段が所定の方向に射出する映像を生成する前記映像信号にのみ、前記操作を行った結果を反映させる制御を行う
ことを特徴とする１．、２．及び５．のいずれかに記載の映像表示装置。
【０１４８】
この構成は、上記した実施形態の少なくとも図１９、図２０に対応する。
【０１４９】
この構成は、１．のような映像表示装置を操作する外部操作手段に対して有効な構成である。外部操作手段がどちらから操作されたか、例えば運転者や助手のいずれが外部操作手段に手を伸ばして操作したかを判別することによって、表示を変えたり各映像に対する調整を行ったりすることができる。
【０１５０】
また、例えば実操作者のいる方向に向けて射出された映像にのみ映像調整などを行ったり、映像の切り替えを行ったりすることもできる。
【０１５１】
また、「結果を反映させる」とは、映像信号調整手段に映像信号の各種調整をさせることや、映像信号選択手段に対して映像の選択をさせること等が含まれる。
【０１５２】
操作者識別情報は、操作者識別手段から直接制御手段に送られてもよく、操作者識別手段から一旦外部操作手段に出力されて外部操作手段から制御手段に出力されてもよい。
【０１５３】
７．前記操作者識別手段は、
前記実操作者の腕または手または指の位置を非接触的に検出し、検出信号を出力する検出手段と、
前記検出手段の出力する前記検出信号を受けて前記実操作者を特定する手段と、
を含むことを特徴とする６．に記載の映像表示装置。
【０１５４】
この構成は、上記した実施形態の少なくとも図１６、図１９に対応する。
【０１５５】
この構成は、操作者識別手段の具体例である。赤外線センサ、投受光器、音波送受信器、静電気センサなどの非接触センサを使用すれば、運転者か助手かといった操作者を識別させるような操作を改めてせずとも、自動的に外部操作手段が腕または手または指の位置を検出して実操作者を特定することができる。
【０１５６】
８．前記映像信号選択手段は、複数の映像信号入力部を有する接続信号検知手段を含み、
前記映像信号選択手段は、前記各映像信号入力部に対してそれぞれ割り振られた入力部識別情報に応じて、前記各映像信号をそれぞれ識別し、前記各映像信号をそれぞれ出力する
ことを特徴とする２．に記載の映像表示装置。
【０１５７】
この構成は、上記した実施形態の少なくとも図２、図３、図５、図１１、図１６、図１９に対応する。
【０１５８】
この構成によれば、接続信号検知手段で映像ソース部から映像信号が接続されていることを検知し、接続信号検知手段のポートアドレスといった入力部識別情報などによってどんな信号が接続されているかを識別することができ、それによって各種映像の種別を判別できる。
【０１５９】
９．前記制御手段は、前記映像表示手段が射出する前記映像が複数である場合、前記外部操作手段から受ける前記第１の信号に応じて、
前記映像表示手段の射出する前記複数の映像が各々異なる情報である状態と、
前記映像表示手段の射出する前記複数の映像が同一の情報である状態とを、適宜切り替える機能を有することを特徴とする１．に記載の映像表示装置。
【０１６０】
この構成は、上記した実施形態の少なくとも図９、図１３〜図１５に対応する。
【０１６１】
この構成によれば、複数の方向から複数の操作者で同一の映像を確認することができ、複数種類の映像表示から簡単な操作で映像のシンク処理を行うことができる。
【０１６２】
１０．前記制御手段が、
前記映像表示手段の射出する前記複数の映像を同一の情報である状態にする前記第１の信号を、前記外部操作手段から受けたとき、
前記制御手段は前記外部条件入力手段からの前記第２の信号に応じて、前記所定の各映像信号に対して前記表示の制限を設ける制御を行うことを特徴とする９．に記載の映像表示装置。
【０１６３】
この構成は、上記した実施形態の少なくとも図４、図８〜図１４に対応する。
【０１６４】
この構成では、ある操作者に対して特定の映像を表示すると不具合が起こる場合、外部条件が自動的に入力されることにより、その特定の操作者にはその特定の映像を表示するにあたって制限が設けられる。
【０１６５】
１１．前記表示の制限を設ける制御とは、
前記映像信号制御手段が前記映像信号選択手段に対して、所定の注意書き表示を生成する映像信号を出力させる制御と、
前記映像信号制御手段が前記映像信号選択手段に対して、所定の前記映像の出力を禁止させる制御とのうちのいずれかであることを特徴とする１０．に記載の映像表示装置。
【０１６６】
この構成は、上記した実施形態の少なくとも図８〜図１３に対応する。
【０１６７】
この構成では、制限がかかっている旨の注意書き表示を行うことによって、または映像の表示を行わないことによって、特定の映像を表示する場合の制限を行う。
【０１６８】
１２．前記映像表示装置は、車両に搭載することが可能であることを特徴とする１．乃至１１．のいずれかに記載の映像表示装置。
【０１６９】
この構成は、上記した実施形態の少なくとも図１、２に対応する。
【０１７０】
この構成は、本発明の映像表示装置を、車両に搭載可能な車載用表示装置として用いるにあたって、運転席、助手席、後部席にそれぞれ所定の映像を選択的に射出することができる。
【０１７１】
１３．前記制御手段は、前記外部の状況が、
前記映像表示装置を搭載する車両が走行しているという条件と、
前記映像表示装置を搭載する車両に設けられた座席のうち、前記車両の運転席にのみ操作者が着席しているという条件と、
前記映像表示装置を搭載する車両に設けられた時刻検知手段が、所定の範囲の時刻を検知しているという条件と、
前記映像表示装置を搭載する車両に設けられた外光検知手段が、外部が所定の範囲の明るさであることを検知しているという条件と、
のいずれかの条件であることに応じて、所定の種類の前記映像信号に対して表示の制限を設けることを特徴とする１２．に記載の映像表示装置。
【０１７２】
この構成は、上記した実施形態の少なくとも図１２〜図１４に対応する。
【０１７３】
この構成では、運転中には運転者にテレビなどある特定の種類の映像を表示させると危険であるため、車両が走行している際には自動的に車両の走行を検知して、表示制限を設ける動作を行うことができる。また、前部の座席に運転者しかいない場合は外部操作手段を操作するのは運転者だけであり、運転者にテレビなどある特定の種類の映像を表示することは同様に危険であるため、表示の制限を設ける制御を行う。
【０１７４】
また、所定の時刻の範囲（この場合、暦ごとに昼夜時刻の設定が各種行われる）や所定の外部の明るさの範囲を設定しておけば、昼夜や車両のトンネル進入などを検知して、外部の明るさが所定の範囲内にあるかないかによって、まぶしさ、見易さ、見にくさの点で表示が困難であったり、表示すると危険と思われたりする映像に制限を設けることもできる。
【０１７５】
１４．前記操作者識別手段は、
前記映像表示装置を搭載する車両における運転席のある場所に位置する前記操作者が行う操作と、
前記車両における前記運転席以外の場所に位置する前記操作者が行う操作とを、それぞれ識別することを特徴とする１２．に記載の映像表示装置。
【０１７６】
この構成は、上記した実施形態の少なくとも図１９、図２０に対応する。
【０１７７】
この構成では、表示装置の操作を行う人物が運転者か助手かを特定する機能を備え、運転者が走行中に映像を所定の映像に切り替えないようにする。
【０１７８】
１５．各種の映像信号が、映像ソース部から、前記映像信号を選択または制御する制御手段に対してそれぞれ出力され、
操作者に外部から操作される外部操作手段によって、前記操作を行った結果を含む第１の信号が生成されて、前記第１の信号が前記制御手段に出力され、
外部の状況を検出した結果を受ける外部条件入力手段によって、前記外部の状況に応じた結果を含む第２の信号が生成されて、前記第２の信号が前記制御手段に出力され、
前記映像ソース部から出力される前記映像信号が、前記第１の信号または前記第２の信号を受けた前記制御手段によって選択または制御されて出力され、
前記制御手段からそれぞれ出力される前記映像信号が、１つの表示面を備える映像表示手段によって複数の映像として複数方向に対してそれぞれ射出される
とともに、
所定の種類の前記映像信号が、前記制御手段によって、前記第２の信号に応じて表示の制限を設けられる
ことを特徴とする映像表示方法。
【０１７９】
この方法は、上記した実施形態の少なくとも図２、図１１、図１６、図１９に対応する。
【０１８０】
この方法は、１つの表示面から複数の観察する方向に応じた複数の映像が選択的に射出され、各映像がそれぞれ適宜選択でき、外部の状況に応じて送られてきた信号をもとに、制御手段が所定の映像に表示を行う際の制限を設ける制御ができる映像表示方法である。これにより、必要な映像が操作者のいる必要な方向に選択的に提供され、さらに所定の操作者に対してある特定の種類の映像（ＴＶやビデオなど）の表示を選択的に制限する制御を外部で起こる条件に応じて自動的に行うことができる。
【０１８１】
また、第１、２の信号は、主に「制御手段」により制御される内容を通知する信号である。
【０１８２】
１６．前記制御手段には、映像信号制御手段と映像信号選択手段とが含まれ、
前記外部操作手段から出力される前記第１の信号または前記外部条件入力手段から出力される前記第２の信号をそれぞれ受けた前記映像信号制御手段によって、前記映像信号選択手段の制御が行われ、
前記映像ソース部から出力される前記映像信号の１つまたは複数が、前記映像信号選択手段によって適宜選択されて出力される
ことを特徴とする１５．に記載の映像表示方法。
【０１８３】
この方法は、上記した実施形態の少なくとも図２〜４、図１１、図１６、図１９に対応する。
【０１８４】
この方法は、１．のような映像表示方法の「制御手段」の詳細な構成の例である。制御手段には、映像を選択する手段と映像を制御する手段が含まれる。
【０１８５】
映像を制御するということには、映像信号選択手段に対して映像信号を選択させる指示を行ったり、映像ソース部からの各映像信号の接続状況を把握したりすることなどが含まれる。
【０１８６】
１７．前記制御手段には、映像信号調整手段がさらに含まれ、
前記映像信号調整手段は、映像信号制御手段によって制御され、
前記映像信号選択手段によって選択されて出力される各映像信号に対する各種調整が、前記映像信号調整手段によって、前記各映像信号毎に個別に行われることを特徴とする１６．に記載の映像表示方法。
【０１８７】
この方法は、上記した実施形態の少なくとも図２、図６に対応する。
【０１８８】
この方法は、１．のような映像表示方法の「制御手段」の詳細な構成の例である。すなわち、映像信号調整手段によって、複数射出される各映像に対して、映像特性上の種類又は操作者の要望に応じた、明るさ、色合い（ＲＧＢ、ホワイトバランス）、ぼけ、ノイズ、γ値、コントラスト、色相、鮮やかさ、解像力、同期調整、トラッキング…等の各種調整を行うことが可能である。複数の映像の各種調整は、それぞれ必要に応じて各映像毎に個別に行うことができる。
【０１８９】
１８．前記制御手段には、映像信号合成手段がさらに含まれ、
前記映像信号選択手段によって選択された前記複数の映像信号が、前記映像信号合成手段によって合成されて、前記映像表示手段により複数の映像が射出できるような１つの映像信号として出力される
ことを特徴とする１６．または１７．に記載の映像表示方法。
【０１９０】
この方法は、上記した実施形態の少なくとも図１６、図１９に対応する。
【０１９１】
この方法は、１５．の「制御手段」の詳細な構成の例である。
【０１９２】
映像表示手段が複数の映像を表示する際、複数の映像信号を映像表示手段に出力する方法ではなく、映像信号制御手段でそれぞれ制御された複数の映像信号を合成したものを映像表示手段に出力する方法でもよい。
【０１９３】
１９．操作者識別手段がさらに用いられる映像表示方法であって、
前記外部操作手段の操作を実際に行う前記操作者を実操作者とすると、
前記操作者識別手段によって、前記映像表示手段に対する実操作者の位置する方向を識別されて、実操作者識別情報が前記外部操作手段または前記制御手段に対して出力され、
前記操作者識別手段または前記外部操作手段からの前記実操作者識別情報が、前記制御手段に出力され、
前記制御手段によって、前記映像表示手段が所定の方向に射出する映像を生成する前記映像信号にのみ、前記操作を行った結果を反映させる制御が行われる
ことを特徴とする１５．または１６．に記載の映像表示方法。
【０１９４】
この方法は、上記した実施形態の少なくとも図１９、図２０に対応する。
【０１９５】
この方法は、１５．のような映像表示方法に用いられる外部操作手段に対して有効な構成である。外部操作手段がどちらから操作されたか、例えば運転者や助手のいずれが被操作手段に手を伸ばして操作したかを判別することによって、表示を変えたり各映像に対する調整を行ったりすることができる。
【０１９６】
また、例えば実操作者のいる方向に向けて射出された映像にのみ映像調整などを行ったり、映像の切り替えを行ったりすることもできる。
【０１９７】
「結果を反映させる」とは、映像信号調整手段に映像信号の各種調整をさせることや、映像信号選択手段に対して映像の選択をさせること等が含まれる。
【０１９８】
操作者識別情報は、操作者識別手段から直接制御手段に送られてもよく、操作者識別手段から一旦外部操作手段に出力されて外部操作手段から制御手段に出力されてもよい。
【０１９９】
２０．  前記操作者識別手段によって、
前記実操作者の腕または手または指の位置が非接触的に検出されて検出信号が出力され、
前記検出信号を受けて前記実操作者が特定されることを特徴とする１９．に記載の映像表示方法。
【０２００】
この方法は、上記した実施形態の少なくとも図１６、図１９に対応する。
【０２０１】
この方法は、操作者識別手段の具体例である。赤外線センサ、投受光器、音波送受信器、静電気センサなどの非接触センサを使用すれば、運転者か助手かといった操作者を識別させるような操作を改めてせずとも、自動的に外部操作手段が腕または手または指の位置を検出して実操作者を特定することができる。
【０２０２】
２１．  前記映像信号選択手段には、複数の映像信号入力部を有する接続信号検知手段が含まれ、
前記各映像信号は、前記映像信号選択手段によって、前記各映像信号入力部に対してそれぞれ割り振られた入力部識別情報に応じてそれぞれ識別されてそれぞれ出力される
ことを特徴とする１６．に記載の映像表示方法。
【０２０３】
この方法は、上記した実施形態の少なくとも図２、図３、図５、図１１、図１６、図１９に対応する。
【０２０４】
この方法によれば、接続信号検知手段で映像ソース部から映像信号が接続されていることを検知し、接続信号検知手段のポートアドレスといった入力部識別情報などによってどんな信号が接続されているかを識別することができ、それによって各種映像の種別を判別できる。
【０２０５】
２２．前記映像表示手段が射出する前記映像が複数である場合、
前記制御手段によって、
前記映像表示手段の射出する前記複数の映像が各々異なる情報である状態と、
前記映像表示手段の射出する前記複数の映像が同一の情報である状態との前記各状態が、前記外部操作手段から受ける前記第１の信号に応じて適宜切り替えられることを特徴とする１５．に記載の映像表示方法。
【０２０６】
この方法は、上記した実施形態の少なくとも図９、図１３〜図１５に対応する。
【０２０７】
この方法によれば、複数の方向から複数の操作者で同一の映像を確認することができ、複数種類の映像表示から簡単な操作で映像のシンク処理を行うことができる。
【０２０８】
２３．前記映像表示手段の射出する前記複数の映像を同一の情報である状態にする前記第１の信号を、前記制御手段が前記外部操作手段から受けたとき、
前記所定の各映像信号が、前記制御手段によって、前記外部条件入力手段からの前記第２の信号に応じて前記表示の制限を設けることができる
ことを特徴とする２２．に記載の映像表示方法。
【０２０９】
この方法は、上記した実施形態の少なくとも図４、図８〜図１４に対応する。
【０２１０】
この方法では、ある操作者に対して特定の映像を表示すると不具合が起こる場合、外部条件が自動的に入力されることにより、その特定の操作者にはその特定の映像を表示するにあたって制限が設けられる。
【０２１１】
２４．前記映像表示方法は、車両に搭載する映像表示装置に対して用いられることを特徴とする１５．乃至２３．のいずれかに記載の映像表示方法。
【０２１２】
この方法は、上記した実施形態の少なくとも図１、図２に対応する。
【０２１３】
この方法は、本発明の映像表示方法を、車両に搭載可能な車載用表示装置に対して用いるにあたって、運転席、助手席、後部席にそれぞれ所定の映像を選択的に射出することができる。
【０２１４】
２５．所定の種類の前記映像信号は、
前記外部の状況が、
前記映像表示装置を搭載する車両が走行しているという条件と、
前記映像表示装置を搭載する車両に設けられた座席のうち、前記車両の運転席にのみ操作者が着席しているという条件と、
前記映像表示装置を搭載する車両に設けられた時刻検知手段が、所定の範囲の時刻を検知しているという条件と、
前記映像表示装置を搭載する車両に設けられた外光検知手段が、外部が所定の範囲の明るさであることを検知しているという条件と、
のいずれかの条件であることに応じて、前記制御手段によって表示の制限が設けられることを特徴とする２４．に記載の映像表示方法。
【０２１５】
この方法は、上記した実施形態の少なくとも図１２〜図１４に対応する。
【０２１６】
この方法では、運転中には運転者にテレビなどある特定の種類の映像を表示させると危険であるため、車両が走行している際には自動的に車両の走行を検知して、制限を設ける動作を行うことができる。また、前部の座席に運転者しかいない場合は外部操作手段を操作するのは運転者だけであり、運転者にテレビなどある特定の種類の映像を表示させると同様に危険であるため、表示の制限を設ける制御を行う。
【０２１７】
また、所定の時刻の範囲（この場合、暦ごとに昼夜時刻の設定が各種行われる）や所定の外部の明るさの範囲を設定しておけば、昼夜や車両のトンネル進入などを検知して、外部の明るさが所定の範囲内にあるかないかによって、まぶしさ、見易さ、見にくさの点で表示が困難であったり、表示すると危険と思われたりする映像に制限を設けることもできる。
【０２１８】
２６．前記操作者識別手段によって、
前記映像表示装置を搭載する車両における運転席のある場所に位置する前記操作者が行う操作と、
前記車両における前記運転席以外の場所に位置する前記操作者が行う操作とが、それぞれ識別されることを特徴とする２４．に記載の映像表示方法。
【０２１９】
この方法は、上記した実施形態の少なくとも図１９、図２０に対応する。
【０２２０】
この方法は、表示装置の操作を行う人物が運転者か助手かを特定する機能を備え、車両の走行中には映像を所定の映像に切り替えないようにする。
【０２２１】
【発明の効果】
本発明によれば、必要な映像が操作者のいる方向に選択的に提供され、さらに所定の操作者に対してある特定の種類の映像（ＤＶＤやテレビなど）の表示を選択的に制限する制御を外部で起こる条件に応じて自動的に行うことが可能になる。例えば、従来、車内では安全上の問題から走行中はＤＶＤやテレビの映像などを見ることが出来なかったが、本システムを使用することにより、走行中、運転手以外の同乗者は表示制限を受けることなく、ＤＶＤ映像などを楽しむことができ、退屈することはない。また、ボタン１つで複数方向に同じ映像を出力することができる為、搭乗者全員で同じ映像を見ることも可能である。
【図面の簡単な説明】
【図１】本発明の映像表示装置に用いられる多画面映像表示装置の概略を説明するための図である。
【図２】本発明の映像表示装置が適用される多画面映像表示システムの概要を説明するための図である。
【図３】映像信号選択部１の概略構成を示すブロック図である。
【図４】映像信号制御部４の概略構成を示すブロック図である。
【図５】メモリ１２に記憶する具体的な内容の一例を示す図である。
【図６】映像信号調整部２の概略構成の例を示すブロック図である。
【図７】特定の映像が指定されて多画面映像表示装置３により表示されるまでの処理の流れを説明するためのフローチャートである。
【図８】表示制限のある映像の表示の制御手順を説明するためのフローチャートである。
【図９】映像Ｂと表示制限のある映像Ａとのシンク処理の手順を説明するためのフローチャートである。
【図１０】外部条件が変化したときの映像表示の制御手順を説明するためのフローチャートである。
【図１１】車載用映像表示装置の多画面映像表示システムの構成を示すブロック図である。
【図１２】車載用映像表示装置の多画面映像表示システムにおいて、表示制限のある映像の制御手順を説明するためのフローチャートである。
【図１３】車載用映像表示装置の多画面映像表示システムにおいて、映像Ｂと表示制限のある映像Ａとのシンク処理の手順を説明するためのフローチャートである。
【図１４】車両が走行を開始したときの映像表示の制御について説明するためのフローチャートである。
【図１５】映像Ｂを表示制限のある映像Ａと同じにするシンク処理手順について説明するための図である。
【図１６】本発明の第３実施形態の多画面映像表示システムの構成を示すブロック図である。
【図１７】複数の映像信号を合成することによって１つの映像信号を生成する方法について説明するための図である。
【図１８】複数の映像信号を合成することによって１つの映像信号を生成する他の方法について説明するための図である。
【図１９】本発明の第４実施形態の多画面映像表示システムの構成を示すブロック図である。
【図２０】第４実施形態をカーナビ用ディスプレイに応用したときの作用を説明するための図である。
【符号の説明】
１…映像信号選択部、２…映像信号調整部、３…多画面映像表示装置、４…映像信号制御部、５…映像ソース部、６…外部条件入力部、７…外部操作部、８…接続信号検知手段、９…接続信号選択手段、１０…映像信号切替装置、１２…メモリ、１３…警告文表示手段、１４−１，１４−２…コントラスト調整部、１５−１，１５−２…輝度調整部、１６−１，１６−２…ガンマ補正部。
【図１】
2004233816.tif 000003
【図２】
2004233816.tif 000004
【図３】
2004233816.tif 000005
【図４】
2004233816.tif 000006
【図５】
2004233816.tif 000007
【図６】
2004233816.tif 000008
【図７】
2004233816.tif 000009
【図８】
2004233816.tif 000010
【図９】
2004233816.tif 000011
【図１０】
2004233816.tif 000012
【図１１】
2004233816.tif 000013
【図１２】
2004233816.tif 000014
【図１３】
2004233816.tif 000015
【図１４】
2004233816.tif 000016
【図１５】
2004233816.tif 000017
【図１６】
2004233816.tif 000018
【図１７】
2004233816.tif 000019
【図１８】
2004233816.tif 000020
【図１９】
2004233816.tif 000021
【図２０】
2004233816.tif 000022